(57)【特許請求の範囲】
【請求項１】
紙葉類搬送路を開閉するシャッター装置において、
軸を中心に回動自在に支承され、先端が前記紙葉類搬送路内に出没自在なレバーと、
電気信号に基づき往復移動するプランジャを有するソレノイドと、
前記プランジャ先端に取り付けられ該プランジャの往復運動と一体的に往復移動するピンと、
前記レバーの後端に形成され前記ピンが嵌挿する逆への字形状に形成されたカム溝からなり、前記プランジャの初期位置では、前記レバーの先端に加わる回転力を前記レバーの後端で前記プランジャの移動方向に対し直角方向へ伝達し、前記レバーの回転を規制するとともに、前記プランジャの移動の際に、前記ピンを介して前記カム溝を押し下げ、前記レバーを前記軸を中心に該レバーの先端が前記紙葉類搬送路内から脱出する方向へ回転させる連結手段とを具えたことを特徴とする紙葉類搬送路のシャッター装置。
【請求項２】
前記シャッター装置は、プランジャにベース部材を備え、前記プランジャの往復運動方向に向け前記ベース部材をスライド自在に支承すると共に、前記ベース部材のプランジャの移動方向に対し直角方向への移動を規制するベースを具えたことを特徴とする請求項(1)記載の紙葉類搬送路のシャッター装置。
【発明の詳細な説明】
【０００１】
【産業上の利用分野】
この発明は、自動販売機、両替機、パチンコ玉貸機、メタル貸機等で使用される紙幣、あるいはカードリードライター等で使用されるプリペイドカード等の紙葉類を処理する紙葉類処理装置に関し、特にその紙葉類を搬送する紙葉類搬送路のシャッター装置に関する。
【０００２】
【従来の技術】
一般に自動販売機、両替機、サービス機器等の機器内部には、投入された紙幣の正偽を判別するとともに、真券とみなされた紙幣のみを順次蓄積収納する紙幣処理装置が装着されている。
【０００３】
図６は上述した紙幣処理装置１の要部破断面図である。
【０００４】
この紙幣処理装置１では、紙幣挿入口２に連通した紙幣搬送路３の途中に、この紙幣搬送路３を開閉するシャッター装置４が配設されている。
【０００５】
この従来のシャッター装置４は、軸５を中心に回動自在に支承され、先端部６ａが紙幣搬送路３内に出没自在なＬ字形のレバー６と、このＬ字形のレバー６の後端６ｂに係合するソレノイド７とからなり、このソレノイド７のプランジャ８は、その先端８ａがレバー６の後端６ｂに支承された軸９に軸支されている。
【０００６】
このようなシャッター装置４によると、図６で示すように、Ｌ字形のレバー６は常時はプランジャ８の図示せぬ初期位置復帰バネの付勢力により軸５を中心として時計方向へ回転し、それにより先端６ａを紙幣搬送路３内に突出させて、その通路３の閉塞を図っている。
【０００７】
なお、図示せぬ制御装置からソレノイド７に駆動信号が送給されると、図７で示すように、ソレノイド７のプランジャ８が図面左側方向へ吸引され、それによりＬ字形のレバー６は軸５を中心に反時計方向へ回転し、レバー６の先端６ａを紙幣搬送路３内から脱出させて当該紙幣搬送路３を拡開する。
【０００８】
一方、この紙幣処理装置１では、図６で示すように紙幣挿入口２内に紙幣Ａを矢印Ｂの如く挿入すると、この紙幣挿入口２直後に配設された図示せぬ紙幣検出センサーにより紙幣Ａの挿入が検出される。
【０００９】
そして紙幣Ａの挿入が検出されると、その検出信号に基づきソレノイド７に対し駆動信号が送出され、その結果、紙幣挿入口２の下流に配設された、シャッター装置４のＬ字形のレバー６がプランジャ８の吸引により図７で示すように軸５を中心に反時計方向へ回転し、これにより紙幣搬送路３を拡開し、挿入紙幣Ａの当該紙幣搬送路３内への進入を許容する。
【００１０】
また紙幣Ａの挿入が検出されると、紙幣搬送路３に沿って配設された図示せぬローラ、搬送ベルト等からなる紙幣搬送手段により挿入紙幣Ａは矢印Ｂで示すように紙幣搬送路３に沿って水平搬送される。
【００１１】
なお、挿入紙幣Ａの後端がシャッター装置４を通過したことが図示せぬ紙幣検出センサーにより検出されると、ソレノイド７への駆動信号が停止され、これにより図６で示すように、Ｌ字形のレバー６はプランジャ８の図示せぬ初期位置復帰バネの付勢力により軸５を中心として時計方向へ回転し、再び紙幣搬送路３内に突出して、その通路３を閉塞する。
【００１２】
なお、図示せぬ紙幣搬送手段により紙幣Ａが紙幣搬送路３内に水平搬送されると、その途中に介在された図示せぬ磁気センサー等からなる紙幣正偽検出センサにより挿入紙幣Ａの正偽が判定され、そして、この紙幣正偽検出センサにより紙幣Ａが偽券と判定された場合は、その検出信号に基づいてシャッター装置４を作動させ、再び紙幣搬送路３を拡開して当該偽券と判定された紙幣Ａを紙幣挿入口２から返却する。
【００１３】
一方、上述した図示せぬ紙幣正偽検出センサにより、挿入紙幣３が真券と判断され、しかる後商品等の購入が終了すると、紙幣Ａのスタック信号が送出され、そのスタック信号に基づいて、紙幣Ａは紙幣搬送路３に沿って下方へ案内され、図示せぬスタック機構により紙幣処理装置１の下方に形成されたスタッカ１０内に順次積載収容される。
【００１４】
【発明が解決しようとする課題】
ところで上述した紙幣処理装置１等の紙葉類処理装置に適用された従来のシャッター装置４によると、図６で示すようにプランジャ８の先端８ａはＬ字形のレバー６の後端６ｂに軸９を中心として回動自在に支承された構造であり、またプランジャ８は、Ｌ字形のレバー６を軸５を中心に反時計方向へ回転させると、その回転力がプランジャ８の移動方向に伝達される構成である。
【００１５】
このため、例えば図６で示す紙幣搬送路３の閉塞時に、紙幣挿入口２から紙幣搬送路３内に図示せぬ工具や異物等を挿入し、Ｌ字形のレバー６の先端６ａをプランジャ８の初期位置復帰バネの付勢力に抗して軸５を中心に強制的に反時計方向へ回転させることが可能で、このようにＬ字形のレバー６が軸５を中心に反時計方向へ回転すると、一旦閉塞された紙幣搬送路３が工具により強制的に拡開され、このため挿入紙幣の後端部に貼着されたテープ等を介し一旦紙幣搬送路３内に搬送された真券の紙幣を紙幣挿入口２から強制的に引き出してしまうという悪戯を防止することが出来ない難点があった。
【００１６】
なお、このように真券の紙幣が紙幣挿入口２から強制的に引き出されると、紙幣処理装置１は真券が内部に搬送されたものと見做して、商品の販売及び釣銭の支払い等の処理を通常どうりに行う。
【００１７】
この発明は、上述した事情に鑑み、紙葉類挿入口からの強制的な紙葉類の引き抜きを可及的に防止するようにした紙葉類搬送路のシャッター装置を提供することを目的とする。
【００１８】
【課題を解決するための手段】
上述した課題を解決するため、この発明では、紙葉類搬送路を開閉するシャッター装置において、軸を中心に回動自在に支承され、先端が前記紙葉類搬送路内に出没自在なレバーと、電気信号に基づき往復移動するプランジャを有するソレノイドと、前記プランジャ先端に取り付けられ該プランジャの往復運動と一体的に往復移動するピンと、前記レバーの後端に形成され前記ピンが嵌挿する逆への字形状に形成されたカム溝からなり、前記プランジャの初期位置では、前記レバーの先端に加わる回転力を前記レバーの後端で前記プランジャの移動方向に対し直角方向へ伝達し、前記レバーの回転を規制するとともに、前記プランジャの移動の際に、前記ピンを介して前記カム溝を押し下げ、前記レバーを前記軸を中心に該レバーの先端が前記紙葉類搬送路内から脱出する方向へ回転させる連結手段とを具えている。
【００１９】
【作用】
上述したシャッター装置によると、プランジャ先端とレバー後端とを連結する連結手段により、プランジャの初期位置におけるレバーの強制的な回転力をプランジャの移動方向へ伝達させることなく、そのレバーの回転を規制するようにしたから、紙葉類搬送路の閉塞時にレバー先端を強制的に回転させようとしても、レバーは回転することがなく、このため紙葉類搬送路の閉塞が可及的に維持されることとなる。
【００２０】
【実施例】
以下この発明に係わるシャッター装置の一実施例を詳述する。
【００２１】
図１はこの発明に係わるシャッター装置２０を適用した紙幣処理装置１の要部破断面図で、図６と同一部分を同一符号で示す。
【００２２】
この紙幣処理装置１の紙幣搬送路３には、当該紙幣搬送路３を開閉するシャッター装置２０が配設されている。
【００２３】
このシャッター装置２０は、その上面図で示す図２、およびその側面図で示す図３のように、軸２１を中心に回動自在に支承されたレバー２３であって、先端に形成された爪２２が紙幣搬送路３内に出没自在となるように配置されたレバー２３と、このレバー２３の後端に連結するプランジャ２４を有するソレノイド２５と、このソレノイド２５のプランジャ２４と前記レバー２３の後端とを連結する連結手段３０とから構成されている。
【００２４】
このうち、レバー２３は図２で示すように、所定間隔を設けて配設された一対のアーム２６、２７と、このアーム２６、２７の先端間を連結するように固着された昇降杆２８からなり、この昇降杆２８の下面には、その昇降杆２８の長手方向に沿って、言い換えれば図１に示す紙幣搬送路３の幅方向に沿って一定間隔で７個の爪２２が一体形成されている。
【００２５】
一方、上述したソレノイド２５のプランジャ２４と前記レバー２３の後端とを連結する連結手段３０は、図３で示すようにプランジャ２４の先端に支承された一対の円柱形のピン３１からなり、このピン３１は図２で示すように、プランジャ２４の先端に係合したベース部材３２の両側方に突設されている。またこのベース部材３２は、図３で示すように紙幣搬送路３を形成する一方のシュート４０上に配設されたベース４１上に載置され、当該ベース４１上を水平方向へ向けスライド自在となるように支承されている。
【００２６】
一方、図２で示すようにレバー２３の後端である一対のアーム２６、２７の各後端２６ａ、２７ａには、連結手段３０の拡大側面図で示す図４のように、への字を逆にした形状のカム溝３３が形成され、このカム溝３３内に前記ピン３１が嵌挿している。
【００２７】
このようなシャッター装置２０によると、図１で示すように初期位置復帰バネ４２の付勢力によりプランジャ２４を初期位置に復帰させると、連結手段３０を介しレバー２３は軸２１を中心に反時計方向へ所定の回転角度回転し、それにより爪２２を紙幣搬送路３内に突出させて、当該紙幣搬送路３を閉塞する。
【００２８】
また図示せぬ制御装置からソレノイド２５に駆動信号が送給されると、図１と同一部分を同一符号で示す図５のように、ソレノイド２５のプランジャ２４が図面右側方向へ吸引され、それによりレバー２３は軸２１を中心に時計方向へ所定の角度回転し、これにより爪２２を紙幣搬送路３内から脱出させて当該紙幣搬送路３を拡開する。
【００２９】
ところで、上述したシャッター装置２０によると、図４で示すように連結手段３０のピン３１が嵌挿するカム溝３３は逆への字形状に形成されているため、図３で示すように、プランジャ２４の初期位置、即ち爪２２により紙幣搬送路３を閉塞した状態において、紙幣搬送路３を強制的に拡開させるべく、図示せぬ工具等によって矢印Ｃで示すように爪２２へ力を加え、レバー２３を軸２１を中心に時計方向へ回転させようとすると、図４で示すようにレバー２３の後端、即ちアーム２７（２６）の後端２７ａ（２６ａ）にはカム溝３３を介しピン３１に矢印Ｄで示すようなプランジャ２４の移動方向（矢印Ｅ）に対し直角方向への力が加わる。しかしながら、ピン３１の矢印Ｄ方向はベース部材３２およびベース４１によりその移動が規制されているので、レバー２３の回転はピン３１によりロックされ、その回転は阻止されることとなる。
【００３０】
なお、矢印Ｄで示すピン３１に働く力は、プランジャ２４の移動方向に対し直角方向に作用するので、当然ながらその力はプランジャ２４の移動方向へは伝達されず、従って矢印Ｄで示すピン３１に働く力によりプランジャ２４は移動することはない。
【００３１】
【発明の効果】
以上説明したように、この発明のシャッター装置では、プランジャ先端とレバー後端とを連結する連結手段により、プランジャの初期位置におけるレバーの強制的な回転力をプランジャの移動方向へ伝達させることなく、そのレバーの回転を規制するようにしたから、紙葉類搬送路の閉塞時にレバー先端を強制的に回転させようとしても、レバーは回転することなく紙葉類搬送路の閉塞を可及的に維持し、このため一旦紙葉類搬送路内に搬送された紙葉類を強制的に引き出すという悪戯を可及的に防止することが出来る。
【図面の簡単な説明】
【図１】図１は、この発明のシャッター装置を適用した紙幣処理装置の一部破断面図。
【図２】図２はこの発明に関わるシャッター装置の上面図。
【図３】図３はこの発明に関わるシャッター装置の側面図。
【図４】図４は連結手段の要部拡大図。
【図５】図５は、この発明のシャッター装置を適用した紙幣処理装置の一部破断面図。
【図６】図６は従来のシャッター装置を適用した紙幣処理装置の一部破断面図。
【図７】図７は従来のシャッター装置を適用した紙幣処理装置の一部破断面図。
【符号の説明】
３…紙葉類搬送路（紙幣搬送路）
２０…シャッター装置
２１…軸
２２…爪
２３…レバー
２４…プランジャ
２５…ソレノイド
３０…連結手段
３１…カム
３３…カム溝
【図１】
0003719685.tif 000002
【図２】
0003719685.tif 000003
【図３】
0003719685.tif 000004
【図４】
0003719685.tif 000005
【図５】
0003719685.tif 000006
【図６】
0003719685.tif 000007
【図７】
0003719685.tif 000008